【手続補正書】
【提出日】平成25年12月17日(2013.12.17)
【手続補正１】
【補正対象書類名】特許請求の範囲
【補正対象項目名】全文
【補正方法】変更
【補正の内容】
【特許請求の範囲】
【請求項１】
補綴構造体とインプラント構造体又は継歯とを連結する連結装置（３；３７）であって、
該連結装置（３；３７）は保持シェル（２；２７）と保定インサート（１；１７；１８；１９）とを有し、
前記保定インサート（１；１７；１８；１９）は、端部側（１２；１２７；１２８；１２９）と、それから突出する実質的にリング形状の保定リム（１１；１１７；１１８；１１９）とを有し、
前記保持シェル（２；２７）は、端部側（２２；２２７）と、それから突出する実質的にリング形状の保持リム（２１；２１７）とを有し、
前記保持シェル（２；２７）の前記保持リム（２１；２１７）及び前記端部側（２２；２２７）は、前記保定インサート（１；１７；１８；１９）の前記保定リム（１１；１１７；１１８；１１９）の外表面（１１４；１１４７；１１４８；１１４９）が前記保持シェル（２；２７）の前記保持リム（２１；２１７）の内表面（２１２；２１２７）に隣接するように、前記保定インサート（１；１７；１８；１９）を内部に配置することができるリテーナーを形成し、
前記保定インサート（１；１７；１８；１９）の前記保定リム（１１；１１７；１１８；１１９）の前記外表面（１１４；１１４７；１１４８；１１４９）は、前記保定インサート（１；１７；１８；１９）が前記保持シェル（２；２７）の前記リテーナー内に配置されているとき、及び、前記保持シェル（２；２７）の前記保持リム（２１；２１７）と、前記保定インサート（１；１７；１８；１９）の前記保定リム（１１；１１７；１１８；１１９）と、に対して径方向力が実質的に作用していないときに、前記保持シェル（２；２７）の前記保持リム（２１；２１７）の前記内表面（２１２；２１２７）に対し、少なくとも部分的に離間するとともに隣接する、補綴構造体とインプラント構造体又は継歯とを連結する連結装置（３；３７）。
【請求項２】
請求項１に記載の連結装置（３；３７）であって、前記保定インサート（１；１７；１８；１９）の前記保定リム（１１；１１７；１１８；１１９）の前記外表面（１１４；１１４７；１１４８；１１４９）は、前記保定インサート（１；１７；１８；１９）の前記保定リム（１１；１１７；１１８；１１９）の前記外表面（１１４；１１４７；１１４８；１１４９）が、前記連結装置（３；３７）の中心軸（１５、２５；１５７、２５７）の方向に前記保持シェル（２；２７）の前記保持リム（２１；２１７）の前記内表面（２１２；２１２７）よりも大きく傾いていることで、前記保持シェル（２；２７）の前記保持リム（２１；２１７）の前記内表面（２１２；２１２７）に対し、少なくとも部分的に離間するとともに隣接する連結装置（３；３７）。
【請求項３】
請求項１又は２に記載の連結装置（３；３７）であって、前記保定インサート（１；１７；１８；１９）の前記保定リム（１１；１１７；１１８；１１９）は、前記保定インサート（１；１７；１８；１９）の前記端部側（１２；１２７；１２８；１２９）に面しない前記保定リム（１１；１１７；１１８；１１９）の端部から始まるとともに前記保定インサート（１；１７；１８；１９）の前記端部側（１２；１２７；１２８；１２９）の方向に延在している凹部（１１１；１１１７；１１１８；１１１９）を有する連結装置（３；３７）。
【請求項４】
請求項３に記載の連結装置（３；３７）であって、前記保定インサート（１；１７；１８；１９）の前記保定リム（１１；１１７；１１８；１１９）の前記凹部（１１１；１１１７；１１１８；１１１９）は、前記保定インサート（１；１７；１８；１９）の前記保定リム（１１；１１７；１１８；１１９）の幅の少なくとも約５０％にわたって、好ましくは、前記保定インサート（１；１７；１８；１９）の前記保定リム（１１；１１７；１１８；１１９）の幅の少なくとも約７０％にわたって、特に、前記保定インサート（１；１７；１８；１９）の前記保定リム（１１；１１７；１１８；１１９）の幅の少なくとも約８０％にわたって延在している連結装置（３；３７）。
【請求項５】
請求項３又は４に記載の連結装置（３；３７）であって、前記保定インサート（１；１７；１８；１９）の前記保定リム（１１；１１７；１１８；１１９）は、３つ、４つ、５つ又は６つの凹部（１１１；１１１７；１１１８；１１１９）を有する連結装置（３；３７）。
【請求項６】
先行する請求項のいずれか１項に記載の連結装置（３；３７）であって、前記保定インサート（１；１７；１８；１９）の前記保定リム（１１；１１７；１１８；１１９）は、前記保定インサート（１；１７；１８；１９）の前記保定リム（１１；１１７；１１８；１１９）の前記外表面（１１４；１１４７；１１４８；１１４９）から径方向に突出する突起（１３；１３７；１３８；１３９）を有し、前記保持シェル（２；２７）の前記保持リム（２１；２１７）は、前記保持シェル（２；２７）の前記保持リム（２１；２１７）の前記内表面（２１２；２１２７）から径方向に延在している対応する溝（２３；２３７）を有する連結装置（３；３７）。
【請求項７】
請求項６に記載の連結装置（３；３７）であって、前記保定インサート（１；１７；１８；１９）の前記保定リム（１１；１１７；１１８；１１９）の前記突起（１３；１３７；１３８；１３９）は、前記保定インサート（１；１７；１８；１９）が前記保持シェル（２；２７）の前記リテーナー内に配置されているとき、及び、前記保持シェル（２；２７）の前記保持リム（２１；２１７）と、前記保定インサート（１；１７；１８；１９）の前記保定リム（１１；１１７；１１８；１１９）と、に対して径方向力が実質的に作用していないときに、前記保定インサート（１；１７；１８；１９）が前記保持シェル（２；２７）内に取り外し可能に保持されるように、前記保持シェル（２；２７）の前記保持リム（２１；２１７）の前記溝（２３；２３７）内に配置可能である連結装置（３；３７）。
【請求項８】
請求項６又は７に記載の連結装置（３；３７）であって、前記保定インサート（１；１７；１８；１９）の前記保定リム（１１；１１７；１１８；１１９）の前記突起（１３；１３７；１３８；１３９）は、実質的に平面的な突起支持面（１３１；１３１７；１３１８；１３１９）を有し、前記保持シェル（２；２７）の前記保持リム（２１；２１７）の前記溝（２３；２３７）は、実質的に平面的な溝支持面（２３１；２３１７）を有し、前記突起支持面（１３１；１３１７；１３１８；１３１９）の一部は、前記保定インサート（１；１７；１８；１９）が前記保持シェル（２；２７）の前記リテーナー内に配置されているとき、及び、前記保持シェル（２；２７）の前記保持リム（２１；２１７）と、前記保定インサート（１；１７；１８；１９）の前記保定リム（１１；１１７；１１８；１１９）と、に対して径方向力が実質的に作用していないときに、前記溝支持面（２３１；２３１７）の一部と接触し、該溝支持面（２３１；２３１７）は、前記保定インサート（１；１７；１８；１９）に面するその端部に向かって曲線状になっており、及び／又は前記突起支持面（１３１；１３１７；１３１８；１３１９）は、前記保持シェル（２；２７）に面するその端部に向かって曲線状になっている連結装置（３；３７）。
【請求項９】
請求項６から８のいずれか１項に記載の連結装置（３；３７）であって、前記保定インサート（１；１７；１８；１９）の前記保定リム（１１；１１７；１１８；１１９）の前記突起（１３；１３７；１３８；１３９）は、前記保定インサート（１；１７；１８；１９）が前記保持シェル（２；２７）の前記リテーナー内に配置されているとき、及び、前記保定インサート（１；１７；１８；１９）の前記保定リム（１１；１１７；１１８；１１９）に対して前記保持シェル（２；２７）の前記保持リム（２１；２１７）の方向に、及び／又は前記保持シェル（２；２７）の前記保持リム（２１；２１７）に対して前記保定インサート（１；１７；１８；１９）の前記保定リム（１１；１１７；１１８；１１９）の方向に径方向力が作用しているときに、前記保定インサート（１；１７；１８；１９）が前記保持シェル（２；２７）と恒久的に連結されるように、前記保持シェル（２；２７）の前記保持リム（２１；２１７）の前記溝（２３；２３７）内に配置することができる連結装置（３；３７）。
【請求項１０】
先行する請求項のいずれか１項に記載の連結装置（３；３７）であって、前記保定インサート（１；１７；１８；１９）の前記保定リム（１１；１１７；１１８；１１９）は、前記外表面（１１４；１１４７；１１４８；１１４９）とは反対側の内表面（１１２、１１３；１１２７、１１３７；１１２８、１１３８；１１２９、１１３９）を有し、前記内表面（１１２、１１３；１１２７、１１３７；１１２８、１１３８；１１２９、１１３９）は、前記保定インサート（１；１７；１８；１９）の前記端部側（１２；１２７；１２８；１２９）に面しない前記端部に向かって曲線状になっている連結装置（３；３７）。
【請求項１１】
先行する請求項のいずれか１項に記載の連結装置（３；３７）であって、前記保定インサート（１；１７；１８；１９）及び／又は前記保持シェル（２；２７）は、生体適合性の高分子材料、特にポリエーテルエーテルケトンから作製される連結装置（３；３７）。
【請求項１２】
先行する請求項のいずれか１項に記載の連結装置（３；３７）であって、係合溝（１１５７）が、前記保定インサート（１；１７；１８；１９）の前記保定リム（１１；１１７；１１８；１１９）の前記外表面（１１４；１１４７；１１４８；１１４９）に形成されており、好ましくは、前記保定インサート（１；１７；１８；１９）の前記保定リム（１１；１１７；１１８；１１９）の外周全体にわたって延在している連結装置（３；３７）。
【請求項１３】
保定インサート（１；１７；１８；１９）であって、先行する請求項のいずれか１項に記載の、補綴構造体とインプラント構造体とを連結する連結装置（３；３７）の保定インサート（１；１７；１８；１９）。